(57)【要約】【課題】メッシュ生地などの伸縮性の高い裏地の伸びを確保しつつ、着脱のしやすさを改善すると共に着心地の向上を図ることを課題とする。【解決手段】袖部１３の裏地を、袖外側の裏地である大袖裏地１４と、袖内側の裏地である小袖裏地１５とを備えたものとし、大袖裏地１４は、基端の肩２１から袖口２２までの全範囲において、縫い目のない一連の高伸縮生地又は通常の裏地によって構成する。小袖裏地１５は、少なくとも一部、好ましくは基端の袖ぐり２３から少なくとも肘より下の範囲において、高伸縮生地にて形成する。背裏地１６には、その少なくとも一部に高伸縮裏地を採用する。【選択図】図１
0003178293.tif 000002
【実用新案登録請求の範囲】
【請求項１】
身頃部と、上記身頃部の左右から延ばされた袖部とを備え、前記身頃部と前記袖部のそれぞれに裏地が設けられた上着において、
前記袖部の裏地は、袖外側の裏地である大袖裏地と、袖内側の裏地である小袖裏地とを備え、
前記大袖裏地は、基端の肩から袖口までの全範囲において、縫い目のない一連の生地によって形成され、
前記小袖裏地は、少なくとも一部が、表地よりも大きな伸縮性を有する生地で形成されたものであることを特徴とする上着。
【請求項２】
前記大きな伸縮性を有する生地が、伸縮性のあるメッシュ生地によって構成されており、前記大きな伸縮性を有する生地が、前記小袖裏地の基端の袖ぐりから少なくとも肘より下の範囲に配置されたことを特徴とする請求項１記載の上着。
【請求項３】
前記大袖裏地は、前記小袖裏地と同じ伸縮性を有する生地で形成されたものであり、前記身頃部は、後身頃の背裏地と、前身頃の前裏地とを備え、
前記背裏地は、前記後身頃の表地よりも大きな伸縮性を有する生地で形成されたものであり、
前記袖部の裏地と前記背裏地との全体が、前記前裏地よりも伸縮性の高い裏地で形成されていることを特徴とする請求項１又は２記載の上着。
【請求項４】
前記大袖裏地は、前記小袖裏地よりも伸縮性が小さく、滑り性が大きな生地で形成されたものであることを特徴とする請求項１又は２記載の上着。
【請求項５】
前記大袖裏地は、前記小袖裏地よりも伸縮性の小さな生地で形成されたものであり、前記身頃部は、後身頃の背裏地と、前身頃の前裏地とを備え、
前記背裏地は、前記後身頃の表地よりも大きな伸縮性を有する生地で形成されたものであり、
前記袖部の前記小袖裏地と前記背裏地との全体が、前記大袖裏地及び前記前裏地よりも伸縮性の高い裏地で形成されていることを特徴とする請求項１又は２記載の上着。
【請求項６】
前記大袖裏地は、前記小袖裏地よりも伸縮性の小さな生地で形成されたものであり、
前記小袖裏地は、基端の袖ぐりから肘下までの小袖本体裏地と、肘下から袖先までの小袖先端裏地とを備え、
前記身頃部は、後身頃の背裏地と、前身頃の前裏地とを備え、
前記背裏地は、袖回り側の背肩側裏地と、背中の中央の背中央裏地とを備え、
前記小袖本体裏地と前記背肩側裏地は、前記大袖裏地、前記背中央裏地及び前記前裏地よりも伸縮性の高い裏地で形成されていることを特徴とする請求項１又は２記載の上着。
【考案の詳細な説明】
【技術分野】
【０００１】
本考案は、伸縮性裏地を用いた上着、特に、学生服、スーツ、ジャケット等の上着に関するものである。
【背景技術】
【０００２】
特許文献に示すように、伸縮性の高いメッシュ生地を用いた上着が種々提案されている。特許文献１には、肘の部分の裏地に、メッシュ生地を配置した上着が示されており、特許文献２には、肘よりも上の部分の裏地に、メッシュ生地を配置した上着が示されている。
【０００３】
これらの特許文献１、２の上着は、腕を動かす際に、メッシュ生地が伸びることによって、腕等の身体の運動の自由度を高めることを目的とするものであるが、上着の袖に腕を通す着用動作時の円滑性や着心地については、課題の残すものであった。具体的には、腕の裏地に、通常の滑り性の良いツルイやタフタなどの生地と、メッシュ生地とを併用しており、両生地を縫着しているため、上着の袖に手を通す際に、その縫い目に指が引っ掛かるおそれがある。特に、袖に手を通す場合、大袖と呼ばれる腕の外側に沿って、手先を通していくのが通常であるが、この大袖に上記の縫い目があるために、指が引っ掛かるおそれが高くなる。さらに、着用後も縫い目が腕に当たるため、違和感を感じる場合もある。また、縫製の負荷について検討すると、特許文献１、２にあっては、大袖と小袖（腕の内側の部位）との双方に、上記の縫い目があるため、縫製工程が必要以上に多くなってしまう。
【先行技術文献】
【特許文献】
【０００４】
【特許文献１】登録実用新案第３１５５７０４号公報
【特許文献２】登録実用新案第３１６７５７０号公報
【考案の概要】
【考案が解決しようとする課題】
【０００５】
本考案は、メッシュ生地などの伸縮性の高い裏地の伸びを確保しつつ、着脱のしやすさを改善すると共に着心地の向上を図ることを課題とする。
また、本考案は、縫製箇所を必要以上に多くすることなく、伸縮性の高い裏地の伸びを活用できる上着の提供を課題とする。
【課題を解決するための手段】
【０００６】
本考案は、身頃部と、上記身頃部の左右から延ばされた袖部とを備え、前記身頃部と前記袖部のそれぞれに裏地が設けられた上着において、前記袖部の裏地は、袖外側の裏地である大袖裏地と、袖内側の裏地である小袖裏地とを備え、前記大袖裏地は、基端の肩から袖口までの全範囲において、縫い目のない一連の生地によって形成され、前記小袖裏地は、少なくとも一部が、表地よりも大きな伸縮性を有する生地で形成されたものであることを特徴とする上着を提供する。前記大きな伸縮性を有する生地は、伸縮性のあるメッシュ生地によって構成されており、この大きな伸縮性を有する生地が、前記小袖裏地の基端の袖ぐりから少なくとも肘より下の範囲に配置されたものとすることができる。
【０００７】
本考案の上着にあっては、前記大袖裏地が、基端の肩から袖口までの全範囲において、縫い目のない一連の生地によって形成されているため、着用動作において、指が縫い目に引っ掛かるおそれを無くすことができる。また、前記小袖裏地は、基端の袖ぐりから少なくとも肘より下の範囲において、小袖の表地よりも大きな伸縮性を有する生地で形成されたものであるため、腕の動きに応じて小袖の裏地が伸びることができる。
【０００８】
本考案の上着は、前記大袖裏地が、前記小袖裏地と同じ伸縮性を有する生地で形成されたものであり、前記身頃部は、後身頃の背裏地と、前身頃の前裏地とを備え、前記背裏地は、前記後身頃の表地よりも大きな伸縮性を有する生地で形成されたものであり、前記袖部の裏地と前記背裏地との全体が、前記前裏地よりも伸縮性の高い裏地で形成されたものとして実施することができる。これによって、背中から腕にかけての伸縮性を備えたものとすることができ、さらに、前記大袖裏地と前記小袖裏地との全体が伸縮性の高い裏地で形成されるため、腕全体に伸縮性があり、また、縫製負荷も小さなもので済む。
【０００９】
前記大袖裏地は、前記小袖裏地よりも伸縮性が小さく、滑り性が大きな生地で形成することも望ましい。これによって、小袖裏地による大きな伸縮性の効果を得ると共に、滑り性の良い大袖裏地によって、着用動作時の指の引っ掛かりを、より確実に解消して、よりスムーズな着用動作を実現する。
【００１０】
本考案は、前記大袖裏地が、前記小袖裏地よりも伸縮性の小さな生地で形成されたものであり、前記身頃部は、後身頃の背裏地と、前身頃の前裏地とを備え、前記背裏地は、前記後身頃の表地よりも大きな伸縮性を有する生地で形成されたものであり、前記袖部の前記小袖裏地と前記背裏地との全体が、前記大袖裏地及び前記前裏地よりも伸縮性の高い裏地で形成した上着として実施することもできる。
【００１１】
また、本考案は、前記大袖裏地が、前記小袖裏地よりも伸縮性の小さな生地で形成されたものであり、前記小袖裏地は、基端の袖ぐりから肘下までの小袖本体裏地と、肘下から袖先までの小袖先端裏地とを備え、前記身頃部は、後身頃の背裏地と、前身頃の前裏地とを備え、前記背裏地は、袖回り側の背肩側裏地と、背中の中央の背中央裏地とを備え、前記小袖本体裏地と前記背肩側裏地は、前記大袖裏地、前記背中央裏地及び前記前裏地よりも伸縮性の高い裏地で形成された上着として実施することもできる。
【考案の効果】
【００１２】
本考案は、メッシュ生地などの伸縮性の高い裏地の伸びを確保しつつ、着脱のしやすさを改善すると共に着心地の向上を図ることができたものである。
また、本考案は、縫製箇所を必要以上に多くすることなく、伸縮性の高い裏地の伸びを活用できる上着を提供することができたものである。
【図面の簡単な説明】
【００１３】
【図１】本考案の第１の実施の形態に係る上着の説明図である。
【図２】本考案の第２の実施の形態に係る上着の説明図である。
【図３】本考案の第３の実施の形態に係る上着の説明図である。
【考案を実施するための形態】
【００１４】
以下、図面に基づき本考案の実施の形態を説明する。
まず図１に基づき、本考案の第１の実施の形態に係る上着を説明する。
この上着は、詰襟学生服の上着であって、前身頃１１及び後身頃１２を備えた身頃部と、身頃部の左右に縫着された袖部１３とを備える。前身頃１１、後身頃１２、袖部１３は、常法に従い表地と裏地とを縫製したもので、表地は、羊毛や、羊毛と合成繊維との混紡など、一般の学生服の生地と同様の生地によって構成されている。なお、上着全体の形態は、図示の詰襟学生服の他、背広やジャケットなどの他の形態の上着に変更することも可能である。
【００１５】
後身頃１２の裏地は、袖外側の裏地である大袖裏地１４と、袖内側の裏地である小袖裏地１５とを備える。大袖裏地１４は、基端の肩２１から袖口２２までの全範囲において、縫い目のない一連の生地によって形成されおり、同様に、小袖裏地１５は、基端の袖ぐり２３から袖口２２までの全範囲において、縫い目のない一連の生地によって形成されている。この大袖裏地１４と小袖裏地１５とは、メッシュ生地などの高伸縮裏地によって構成されている。
【００１６】
前身頃１１の前裏地１７は、前上裏地１８と前下裏地１９と前脇裏地２０とを備える。この例では、見返し２６から伸びる台場２７によって、前上裏地１８と前下裏地１９とに分けているが、台場２７を設けない場合には、上下に連続した裏地を用いることもできる。前脇裏地２０は前身頃１１と後身頃１２との間の脇身頃に設けられるが、脇身頃を設けずに実施することもできる。この前裏地１７（前上裏地１８と前下裏地１９と前脇裏地２０）は、伸びの小さな普通裏地によって構成されている。
【００１７】
後身頃１２の背裏地１６は、この例では上部のみに設けられているが、下方の裾まで延設したものであってもよい。背裏地１６は、メッシュ生地などの高伸縮裏地によって構成されている。
【００１８】
普通裏地と高伸縮裏地につてさらに詳しく説明する。
まず普通裏地は、ツイル地、タフタ地、スレーキ地、サテン地、カルゼ地、フランス綾地、トリコット地などによって構成されているもので、滑り性が高いものが望ましい。
【００１９】
高伸縮裏地は、伸縮性を有するメッシュ生地は、上記の普通裏地よりも高い伸長率を有するものであり、具体的には、１０％以上の伸長率を有するものが望ましい。伸長率が１０％未満だと、着用して腕や身体を動かす際に、突っ張り感を抑制するのに必要な伸びが得られない場合がある。なお、伸長率は（ｗ２−ｗ１）／ｗ１×１００で求められる。伸長の方向は、背裏地１６では左右方向への伸び、大袖裏地１４、小袖裏地１５では袖丈方向への伸びとし、ｗ１は伸ばす前の生地の長さ、ｗ２は伸ばした後の生地の長さをとする。
従って、普通裏地は高伸縮裏地及び表地に比して滑り性が高く、高伸縮裏地は普通裏地及び表地に比して伸長率が大きい。
【００２０】
この第１の実施の形態にあっては、腕を前後左右に動かした際に、最も張りを感じる腕から背中に該当する大袖裏地１４、小袖裏地１５、背裏地１６に、高伸縮裏地を用いたため、普通裏地を用いた場合に比して、生地の張りや突っ張り感を軽減することができる。また、大袖裏地１４及び小袖裏地１５は、腕の基端から先端までを一連の高伸縮裏地によって構成し、腕の長さ方向の途中で生地を変更した切替がないため、袖部１３に腕を通す際にも、手の指が切替の縫い目に引っ掛かることがない。また、縫製の工程が増すなどの縫製に過大な負荷が係ることがない。
なお、背裏地１６を裾まで設ける場合には、全体を高伸縮裏地とすることもできるが、上部のみを高伸縮裏地とし、下部を普通裏地によって構成することもできる。
【００２１】
次に、図２に基づき、第２の実施の形態を説明する。
この実施の形態は、第１の実施の形態と同じく学生服であり、第１の実施の形態と同じ部分については、同じ符号を付して、その説明を省略する。
【００２２】
この例にあっては、袖部１３の構成が先の例と相違する。具体的には、小袖裏地１５については、先の例と同様の高伸縮裏地を用いるものであるが、大袖裏地１４については上記の普通裏地を用いるものである。この例では、従来の滑りの良い普通裏地を大袖裏地１４に用いたため、着用動作において、袖部１３に腕を通す際、従来の通常の上着と同様、スムーズに通すことができる。特に、腕を通す際、手は大袖裏地１４に接しながら動くため、大袖裏地１４に普通裏地を用いることで、円滑な腕の挿通動作を実現させることができる。他方、小袖裏地１５については、先の例と同様として、高い伸長率を有するため高伸縮裏地を用いたため、背裏地１６の高伸縮裏地と協働して、着用後に腕などの身体を動かす際の突っ張り感を抑制することができる。前裏地１７については、先の例と同様に普通裏地を用いることによって、前ボタンを外して前身頃１１の裏側が見えた場合にも違和感を感じさせない。
【００２３】
次に、図３に基づき、第３の実施の形態を説明する。
この実施の形態は、第１の実施の形態と同じく学生服であり、第１の実施の形態と同じ部分については、同じ符号を付して、その説明を省略する。
この例にあっては、袖部１３の構成が第１の実施の形態と相違する。まず大袖裏地１４については上記の普通裏地を用いるものである。この例では、従来の滑りの良い普通裏地を大袖裏地１４に用いたため、着用動作において、袖部１３に腕を通す際、従来の通常の上着と同様、スムーズに通すことができる。特に、腕を通す際、手は大袖裏地１４に接しながら動くため、大袖裏地１４の全体（基端から先端まで）に普通裏地を用いることで、円滑な腕の挿通動作を実現させることができる。
【００２４】
他方、小袖裏地１５については、基端の袖ぐり２３から肘２４を越えて肘下２５までの小袖本体裏地３１と、肘下２５から袖口２２までの小袖先端裏地３２とに分割している。また、背裏地１６についても、背中の中央の背中央裏地３４と、その左右両側に配置される背肩側裏地３３とに３分割して、これらを縫着するものである。そして、背肩側裏地３３と小袖本体裏地３１には、上記の高伸縮裏地を用いて、小袖先端裏地３２と背中央裏地３４とについては、普通裏地を用いるものである。これによって、腕を動かす際に最も突っ張り感を感じる肘から肩甲骨付近に、高伸縮裏地を用いて突っ張り感を緩和すると共に、小袖先端裏地３２と背中央裏地３４とについては、滑り性を優先させるものである。
【００２５】
なお、小袖本体裏地３１と背肩側裏地３３とを併用することで、袖の途中で生地の切替が生じてしまうが、袖の外側の大袖裏地１４については、基端から先端まで連続した生地を用いるため、着用動作の際に指先が縫い目に引っ掛かるおそれはない。
【００２６】
以上、本考案は種々変更して実施する事ができるものであり、例えば、第１第２の実施の形態にあっても、第３の実施の形態のような背肩側裏地３３と背中央裏地３４との切替としてもよい。また、第３の実施の形態の背裏地について、第１第２の実施の形態のような一連の高伸縮裏地を用いることもできる。
【符号の説明】
【００２７】
１１  前身頃
１２  後身頃
１３  袖部
１４  大袖裏地
１５  小袖裏地
１６  背裏地
１７  前裏地
１８  前上裏地
１９  前下裏地
２０  前脇裏地
２１  肩
２２  袖口
２３  袖ぐり
２４  肘
２５  肘下
２６  見返し
２７  台場
３１  小袖本体裏地
３２  小袖先端裏地
３３  背肩側裏地
３４  背中央裏地
【図１】
0003178293.tif 000003
【図２】
0003178293.tif 000004
【図３】
0003178293.tif 000005